(57)【要約】【課題】  磁石の磁力で開閉蓋の閉じた状態を保持する開閉蓋支持装置において、開閉蓋が半開き状態でロックされた状態となることを防止する。【解決手段】  閉じた状態の排出用トレイ３の前面上部を押し込む操作を行うと、プッシュラッチ装置３０のロッド３３が押し込み位置まで押し込まれる。プッシュラッチ装置３０のロッド３３は、符号Ｆで示した方向へ進出し、その進出位置が保持される。排出用トレイ３は、進出方向Ｆへ進出するロッド３３の先端に押動され、符号Ａで示した方向へ回動していく。それによって、回動軸１２と歯車係合している回転体２５が符号Ｇで示した方向へ回転する。レバー２４が符号Ｈで示した方向へ変位し、鉄片支持部材２３に支持されている鉄片２２が符号Ｊで示した方向へ変位する。【選択図】図８
2009097198.tif 000002
【特許請求の範囲】
【請求項１】
開閉蓋を回動可能に筐体に支持し、磁石又は磁性体のいずれか一方が前記筐体側に配設され他方が前記開閉蓋の対応する部分に配設され、閉位置にある前記開閉蓋の回動位置が前記磁石と前記磁性体との間に作用する磁力で保持される開閉蓋支持装置であって、
前記磁石又は前記磁性体を前記開閉蓋に変位可能に支持し、前記開閉蓋の開方向への回動に連動して、当該磁石又は当該磁性体の支持位置を前記筐体に配設された前記磁性体又は前記磁石から離間する方向へ変位させる変位手段を備えている、ことを特徴とした開閉蓋支持装置。
【請求項２】
請求項１に記載の開閉蓋支持装置において、ロッドを押し込み位置まで押し込むことにより前記ロッドの保持位置を進出位置と退避位置とで交互に切り替え可能なプッシュラッチ装置を備え、
前記開閉蓋を閉位置よりさらに閉方向へ押し込む操作によって、前記開閉蓋で前記ロッドを前記押し込み位置まで押し込むことが可能であり、
前記ロッドが退避位置にある状態では、前記磁石と前記磁性体との間に作用する磁力により前記開閉蓋を閉位置で保持可能であり、
前記ロッドが進出位置にある状態では、前記ロッドの先端と前記開閉蓋とが当接する前記開閉蓋の回動位置において前記磁石と前記磁性体との間に作用する磁力で前記開閉蓋が係止されない範囲に、前記変位手段により前記開閉蓋に支持された前記磁石又は前記磁性体の支持位置が変位する、ことを特徴とした開閉蓋支持装置。
【請求項３】
請求項１又は２に記載の開閉蓋支持装置において、前記筐体に設けられる、前記開閉蓋を回動可能に軸支する回動軸を備え、
前記変位手段は、前記開閉蓋に軸支され、前記回動軸と回転伝達可能に係合する回転体を有し、前記回転体が前記開閉蓋の回動に伴い回転することによって、前記開閉蓋に支持された前記磁石又は前記磁性体の支持位置が変位する、ことを特徴とした開閉蓋支持装置。
【請求項４】
請求項３に記載の開閉蓋支持装置において、前記開閉蓋に支持された前記磁石又は前記磁性体を、前記開閉蓋の開方向への回動に連動した前記変位手段による変位方向と対向する方向へ付勢する付勢手段を備えている、ことを特徴とした開閉蓋支持装置。
【請求項５】
請求項１〜４のいずれか１項に記載の開閉蓋支持装置において、前記磁石又は前記磁性体は、前記開閉蓋の内部に支持され、前記開閉蓋が閉位置にある状態では、前記筐体に配設された前記磁性体又は前記磁石と対面する部分が前記開閉蓋の外部に進出した状態となる、ことを特徴とした開閉蓋支持装置。
【請求項６】
被記録材への記録実行手段と、
前記記録実行手段で記録を実行した後の被記録材を排出する排出手段と、
前記記録実行手段及び前記排出手段を内蔵する筐体と、
開いた状態では記録装置の排出口から排出される被記録材が積重され、閉じた状態では前記排出口を覆う開閉蓋と、
請求項１〜５のいずれか1項に記載の開閉蓋支持装置と、を備えた記録装置。
【発明の詳細な説明】
【技術分野】
【０００１】
本発明は、開閉蓋を回動可能に筐体に支持し、磁石又は磁性体のいずれか一方が筐体側に配設され他方が開閉蓋の対応する部分に配設され、閉位置にある開閉蓋の回動位置が磁石と磁性体との間に作用する磁力で保持される開閉蓋支持装置に関する。
【背景技術】
【０００２】
近年、コンパクトで持ち運びが便利であるとともに、使用しないときは操作ボタン類が一切外観に現れない状態とすることができる斬新でスタイリッシュなデザインのインクジェットプリンタが広く普及しつつある。例えば、使用しない状態では、排出トレイ（排出用スタッカ）を閉じると、被記録材の排出口を覆い隠すことができるとともに、その閉じた状態の排出トレイがプリンタ本体の一部となって一体的にインクジェットプリンタの外観を構成するものが公知である。
【０００３】
このようなインクジェットプリンタにおいて、例えば、閉じた状態の排出トレイは、プリンタ本体の一部となって一体的にインクジェットプリンタの外観を構成するため、そのままではユーザが排出トレイを開くことができない。例えば、排出トレイの外側に取っ手を設けたり、押しボタン等の開閉ボタンをプリンタ本体の外側から見える位置に設けたりすれば、ユーザが排出トレイを開くことが可能になるが、それによって、インクジェットプリンタのデザインが損なわれてしまうという課題が生ずる。
【０００４】
このような課題を解決可能な従来技術の一例としては、テレビラックやオーディオラック等に一般的に採用されている、開閉蓋（開閉扉）を外側から軽く押すだけで開閉させることが可能なプッシュラッチ装置を利用した開閉蓋支持装置が公知である。例えば、本体側に設けたプッシュラッチ装置のロッド先端に磁石を配設し、開閉蓋のロッド先端に対応する部分に鉄片等を配設したものが一般的に知られている。
【０００５】
このような構成の開閉蓋支持装置は、閉じた状態の開閉蓋を外側から軽く押して放すと、プッシュラッチ装置のロッドが開閉蓋を開く方向へ進出する。それによって、開閉蓋は、ロッドの先端に押動され、ロッド先端の磁石と開閉蓋の鉄片との磁力による係合が解除されながら、開方向へ回動して開いた状態となる。また、開いた状態の開閉蓋を閉じるときは、開閉蓋を閉じた状態からさらに軽く押し込む。それによって、ロッドが退避した位置で保持され、開閉蓋は、ロッド先端の磁石と開閉蓋の鉄片との間に作用する磁力によって、閉じた状態が保持される。
【０００６】
また、上記のように開閉蓋が閉じた状態をマグネットで保持するのではなく、開閉蓋の内側に茸状のフック部材を備え、そのフック部材を挟持する左右一対の保持アームがロッド先端に設けられたプッシュラッチ装置を備えた開閉蓋支持装置が公知である（例えば、特許文献１を参照）。
【特許文献１】特開平７−３４７４６号公報
【発明の開示】
【発明が解決しようとする課題】
【０００７】
しかしながら、テレビラック等に一般的に採用されているロッド先端に磁石等を設けたプッシュラッチ装置を利用した開閉蓋支持装置は、閉じた状態の開閉蓋を軽く押し込んだ状態からゆっくりと放すと、ロッド先端の磁石と開閉蓋の鉄片との磁力による係合が解除されずに、開閉蓋が僅かに開いただけの半開き状態でロックされた状態になってしまう虞がある。このような半開き状態になってしまうと、ユーザは、その僅かに開いた開閉蓋の隙間を利用して無理に開閉蓋をこじ開けるか、或いは、再度開閉蓋を軽く押して閉じた状態に戻した上で、あらためて開閉蓋を軽く押して放す操作をしなければならない。そのため、テレビラック等に採用されている、ロッド先端に磁石等を設けたプッシュラッチ装置を利用した開閉蓋支持装置は、操作性の面で課題が残る。
【０００８】
また、特許文献１に記載されているプッシュラッチ装置は、その構造上、開閉蓋が僅かに開いただけの半開き状態でロックされた状態になってしまうことは生じにくい。しかし、特許文献１に記載されているプッシュラッチ装置は、茸状のフック部材等を開閉蓋の内側の対応する位置に突設する必要があるため、開いた状態の開閉蓋の外観が損なわれる。さらに、突設されているフック部材等を誤って破損等してしまう虞もあり、そうなるとプッシュラッチ装置による開閉機構が全く機能しなくなってしまう。さらに、インクジェットプリンタの排出トレイの内側は、開いた状態では記録実行後の被記録材の載置面となるため、特許文献１に記載されているような茸状のフック部材等を内側に突設させることができないという制約がある。
【０００９】
本発明は、このような状況に鑑み成されたものであり、その課題は、磁石の磁力で開閉蓋の閉じた状態を保持する開閉蓋支持装置において、開閉蓋が半開き状態でロックされた状態となることを防止することにある。
【課題を解決するための手段】
【００１０】
上記課題を達成するため、本発明の第１の態様は、開閉蓋を回動可能に筐体に支持し、磁石又は磁性体のいずれか一方が前記筐体側に配設され他方が前記開閉蓋の対応する部分に配設され、閉位置にある前記開閉蓋の回動位置が前記磁石と前記磁性体との間に作用する磁力で保持される開閉蓋支持装置であって、前記磁石又は前記磁性体を前記開閉蓋に変位可能に支持し、前記開閉蓋の開方向への回動に連動して、当該磁石又は当該磁性体の支持位置を前記筐体に配設された前記磁性体又は前記磁石から離間する方向へ変位させる変位手段を備えている、ことを特徴とした開閉蓋支持装置である。
【００１１】
開閉蓋を閉じた状態においては、開閉蓋は、磁石と磁性体との間に作用する磁力によって、その回動位置が保持される。ここで、その磁力で開閉蓋の閉じた状態をより確実に保持するには、例えば、より磁力の強い大きい磁石を採用したり開閉蓋を閉じた状態における磁石と磁性体との間隔をより狭くしたりして、開閉蓋が閉位置にある状態で磁石と磁性体との間に作用する磁力が強くなるようにすれば良い。
【００１２】
しかし、それによって、磁石と磁性体との間に作用する磁力で開閉蓋を係止可能な開閉蓋の回動範囲が広がることになる。そのため、例えば、前記のプッシュラッチ装置を採用した支持装置においては、前述したような開閉蓋が半開き状態でロックされた状態が生じやすくなってしまうという弊害が生ずる。また、このような開閉蓋が半開き状態でロックされた状態が生じないようにするために、磁石と磁性体との間に作用する磁力を弱く設定すると、今度は、開閉蓋の閉じた状態を確実に保持することができなくなってしまう。
【００１３】
本発明の第１の態様に記載の開閉蓋支持装置は、閉じた状態の開閉蓋を開くときには、その開方向への開閉蓋の回動に連動して、磁石又は磁性体の開閉蓋における支持位置が筐体側に配設された磁性体又は磁石から離間する方向へ変位する。すなわち、閉じた状態にある開閉蓋を開方向へ回動させることによって、磁石と磁性体とは、開閉蓋が筐体から離間していく方向へ回動していくことで、その回動方向へ離間していくと同時に、かつ変位手段により磁石又は磁性体の支持位置が変位することで、その変位方向へも離間していくことになる。
【００１４】
それによって、閉じた状態の開閉蓋を開くときには、開方向への開閉蓋の回動による変位量を超える変位量で、磁石と磁性体とを一気に離間させることができる。そのため、磁石と磁性体との間に作用する磁力を弱くすることなく、その磁力で開閉蓋を係止可能な回動範囲を狭くすることができる。したがって、開閉蓋を閉じた状態においては、磁石と磁性体との間に作用する磁力で閉じた状態を強固に保持することができ、かつ開閉蓋を開くときには、前述したような開閉蓋が半開き状態でロックされた状態が生じないようにすることができる。
【００１５】
これにより、本発明の第１の態様に記載の開閉蓋支持装置によれば、磁石の磁力で開閉蓋の閉じた状態を保持する開閉蓋支持装置において、開閉蓋が半開き状態でロックされた状態となることを防止することができるという作用効果が得られる。
【００１６】
本発明の第２の態様は、前述した第１の態様に記載の開閉蓋支持装置において、ロッドを押し込み位置まで押し込むことにより前記ロッドの保持位置を進出位置と退避位置とで交互に切り替え可能なプッシュラッチ装置を備え、前記開閉蓋を閉位置よりさらに閉方向へ押し込む操作によって、前記開閉蓋で前記ロッドを前記押し込み位置まで押し込むことが可能であり、前記ロッドが退避位置にある状態では、前記磁石と前記磁性体との間に作用する磁力により前記開閉蓋を閉位置で保持可能であり、前記ロッドが進出位置にある状態では、前記ロッドの先端と前記開閉蓋とが当接する前記開閉蓋の回動位置において前記磁石と前記磁性体との間に作用する磁力で前記開閉蓋が係止されない範囲に、前記変位手段により前記開閉蓋に支持された前記磁石又は前記磁性体の支持位置が変位する、ことを特徴とした開閉蓋支持装置である。
【００１７】
プッシュラッチ装置のロッドが進出位置にある状態では、そのロッドの先端と開閉蓋とが当接する開閉蓋の回動位置において、磁石と磁性体との間に作用する磁力で開閉蓋が係止されてしまうと、その状態つまり半開き状態で開閉蓋が磁力でロックされてしまう虞が生ずる。本発明の第２の態様に記載の開閉蓋支持装置は、進出位置にあるプッシュラッチ装置のロッドの先端と開閉蓋とが当接する開閉蓋の回動位置において、磁石と磁性体との間に作用する磁力で開閉蓋が係止されない範囲に、開閉蓋に支持された磁石又は磁性体の支持位置が変位する。したがって、進出位置にあるプッシュラッチ装置のロッドの先端と開閉蓋とが当接する開閉蓋の回動位置において、開閉蓋が半開き状態でロックされた状態となることを防止することができる。
【００１８】
本発明の第３の態様は、前述した第１の態様又は第２の態様に記載の開閉蓋支持装置において、前記筐体に設けられる、前記開閉蓋を回動可能に軸支する回動軸を備え、前記変位手段は、前記開閉蓋に軸支され、前記回動軸と回転伝達可能に係合する回転体を有し、前記回転体が前記開閉蓋の回動に伴い回転することによって、前記開閉蓋に支持された前記磁石又は前記磁性体の支持位置が変位する、ことを特徴とした開閉蓋支持装置である。
【００１９】
開閉蓋は、筐体に設けられた回動軸に軸支されている。また、開閉蓋に軸支されている回転体は、その回動軸と回転伝達可能に係合している。ここで、回動軸と回転体とが回転伝達可能に係合とは、例えば、回動軸と回転体とが回転伝達可能に歯車係合している状態である。したがって、開閉蓋に軸支されている回転体は、開閉蓋の回動に伴って回転することになる。そして、変位手段は、その回転体の回転によって、開閉蓋に支持された磁石又は磁性体の支持位置が変位する。
【００２０】
すなわち、開閉蓋に支持された磁石又は磁性体の支持位置は、開閉蓋の開方向への回動量に比例した変位量で変位する。したがって、回動軸と回転体との直径比等を調節することで、開閉蓋の回動量に対する開閉蓋に支持された磁石又は磁性体の支持位置の変位量が適切な変位量となるように調節することができる。
【００２１】
本発明の第４の態様は、前述した第３の態様に記載の開閉蓋支持装置において、前記開閉蓋に支持された前記磁石又は前記磁性体を、前記開閉蓋の開方向への回動に連動した前記変位手段による変位方向と対向する方向へ付勢する付勢手段を備えている、ことを特徴とした開閉蓋支持装置である。
【００２２】
例えば、閉じた状態の開閉蓋を開く過程で、重力によって開閉扉が開方向へ付勢される場合には、開く途中でユーザが開閉扉から手を放すと、開閉扉が自重で勢いよく開いてしまう虞がある。つまり、開く途中でユーザが開閉扉から手を放すと、開閉蓋が開位置から閉方向へ跳ね返ったり大きな振動音が生じてしまったりする虞が生ずる。
【００２３】
本発明の第４の態様に記載の開閉蓋支持装置は、上記のような付勢手段を設けることで、開閉蓋が変位手段を介して閉じる方向へ付勢されることになる。それによって、閉じた状態の開閉蓋を開くときには、開閉蓋に回動抵抗が生ずるため、開閉扉が自重で勢いよく開いてしまうことを防止することができる。また、開く途中でユーザが開閉扉から手を放しても、開閉扉は、自重で勢いよく開かずに、ゆっくりとなめらかに開くことになるので、ユーザが開閉蓋を開くときの操作感を向上させることができる。さらに、開閉扉は、付勢手段によって閉じる方向へ付勢されるので、ユーザは、より少ない力で開閉蓋を閉じることができる。したがって、ユーザが開閉蓋を閉じるときの操作感も向上させることができる。
【００２４】
本発明の第５の態様は、前述した第１〜第４の態様のいずれかに記載の開閉蓋支持装置において、前記磁石又は前記磁性体は、前記開閉蓋の内部に支持され、前記開閉蓋が閉位置にある状態では、前記筐体に配設された前記磁性体又は前記磁石と対面する部分が前記開閉蓋の外部に進出した状態となる、ことを特徴とした開閉蓋支持装置である。
【００２５】
本発明の第５の態様に記載の開閉蓋支持装置によれば、開閉蓋を閉じた状態において、その開閉蓋に支持されている磁石又は磁性体を筐体側の磁性体又は磁石により近接させた状態とすることができる。それによって、閉位置における開閉蓋の回動位置を磁力の弱い小さな磁石でも確実に保持することが可能になるので、本発明に係る開閉蓋支持装置をより低コストに実現することができる。
【００２６】
本発明の第６の態様は、被記録材への記録実行手段と、前記記録実行手段で記録を実行した後の被記録材を排出する排出手段と、前記記録実行手段及び前記排出手段を内蔵する筐体と、開いた状態では記録装置の排出口から排出される被記録材が積重され、閉じた状態では前記排出口を覆う開閉蓋と、前述した第１〜第５の態様のいずれかに記載の開閉蓋支持装置と、を備えた記録装置である。  
本発明の第６の態様に記載の記録装置によれば、このような開閉蓋を備えた記録装置において、前述した第１〜第５の態様のいずれかに記載の発明による作用効果を得ることができる。
【発明を実施するための最良の形態】
【００２７】
以下、本発明の実施の形態を図面に基づいて説明する。
【００２８】
＜インクジェットプリンタ５０の概略構成＞
まず、本発明に係る「記録装置」としてのインクジェットプリンタ５０の概略構成について、図１〜図４を参照しながら説明する。  
図１は、排出用トレイ３を開いた状態のインクジェットプリンタ５０の外観斜視図である。図２は、インクジェットプリンタ５０の要部側断面図である。
【００２９】
プリンタ本体１の上面には、各種操作ボタン類を有する操作パネル４が配設されている。また、プリンタ本体１の上面には、各種表示を行う液晶表示パネル１０が、符号Ｃで示した方向へ回動させて立位姿勢で使用可能に、回動軸１１で軸支されている。プリンタカバー５は、回動軸６がプリンタ本体１の軸受部に係合した状態で回動可能にプリンタ本体１に支持されている。インクジェットプリンタ５０は、使用しないときにプリンタカバー５を閉じた状態とすることによって、プリンタ本体１の上面に配設されている操作パネル４及び液晶表示パネル１０がプリンタカバー５で覆い隠されて保護される。プリンタ本体１には、インクジェットプリンタ５０を持ち運びするためのハンドル２０が回動可能に配設されている。
【００３０】
プリンタ本体１の前面には、記録実行後の記録紙Ｐが排出される排出口７が設けられており、その排出口７を開閉可能に排出用トレイ３が配設されている。排出用トレイ３は、回動可能にプリンタ本体１に軸支されている。インクジェットプリンタ５０を使用しないときには、排出用トレイ３を閉じた状態とすることによって、排出口７が排出用トレイ３で覆い隠された状態となる。また、インクジェットプリンタ５０を使用するときには、符号Ａで示した方向へ排出用トレイ３を回動させて開いた状態とすることによって、排出口７から排出される記録実行後の記録紙Ｐが排出用トレイ３に積重される。
【００３１】
インクジェットプリンタ５０は、記録紙Ｐに記録を実行する「記録実行手段」として、搬送駆動ローラ５１、搬送従動ローラ５２、プラテン５３、排出駆動ローラ５４、排出従動ローラ５５、キャリッジ６１及び記録ヘッド６２をプリンタ本体１内に備えている。また、インクジェットプリンタ５０は、「記録実行手段」へ向けて記録紙Ｐを一ずつ自動給送する自動給送装置を構成する載置部７１、エッジガイド７２、給送用ローラ７３及びリタードローラ７４を備えている。プリンタ本体１の上面には、記録紙Ｐを前記の自動給送装置で供給するための給送用開口部２が設けられている。符号Ｂで示した方向へ開いた状態のプリンタカバー５は、自動給送装置で給送する記録紙Ｐが載置される給送用トレイとして機能する。
【００３２】
載置部７１は、給送用開口部２に臨む位置に配設されている。公知のエッジガイド７２は、記録紙Ｐの幅方向（搬送方向Ｙと交差する方向）へスライド可能に載置部７１に配設されており、記録紙Ｐのサイズに応じて記録紙Ｐの幅方向の載置位置を規定することができる。開いた状態のプリンタカバー５に載置された記録紙Ｐは、図示していないホッパにより給送用ローラ７３の外周面に押圧され、給送用ローラ７３の駆動回転により、搬送駆動ローラ５１へ向けて給送される。このとき、公知のリタードローラ７４の従動回転抵抗によって、最上位の記録紙Ｐから他の記録紙Ｐが分離され、記録紙Ｐの重送が防止される。
【００３３】
給送用ローラ７３の駆動回転により給送された記録紙Ｐは、搬送駆動ローラ５１と搬送従動ローラ５２とで挟持され、搬送駆動ローラ５１の駆動回転により搬送方向Ｙへ所定の搬送量でプラテン５３上を搬送される。キャリッジ６１の底部には、記録紙Ｐの記録面にインクを噴射してドットを形成する記録ヘッド６２が配設されている。キャリッジ６１は、記録ヘッド６２のヘッド面とプラテン５３上の記録紙Ｐの記録面とが略平行で一定の間隔となる状態を維持しながら搬送方向Ｙと略直交する方向へ往復動可能に支持されている。
【００３４】
プラテン５３上を搬送される記録紙Ｐは、キャリッジ６１が搬送方向Ｙと略直交する方向へ往復動しながら記録ヘッド６２のヘッド面から記録紙Ｐの記録面へインクを噴射してドットを形成する動作と、搬送駆動ローラ５１の駆動回転により搬送方向Ｙへ所定の搬送量で記録紙Ｐを搬送する動作とが交互に繰り返されることによって、記録面への記録が実行される。インク噴射後の記録紙Ｐは、「排出手段」としての排出駆動ローラ５４と排出従動ローラ５５とで挟持され、排出駆動ローラ５４の駆動回転により搬送方向Ｙへ搬送される。記録実行後の記録紙Ｐは、排出口７から排出され、開いた状態の排出用トレイ３に積重される。
【００３５】
図３は、排出用トレイ３を開いた状態のインクジェットプリンタ５０の前面を拡大図示した斜視図である。図４は、インクジェットプリンタ５０の前面の要部を図示した平面視の断面図である。  
排出用トレイ３を開いた状態では、記録実行後の記録紙Ｐが排出される排出口７及びその上方に配置された前面パネル８が露出する。前面パネル８には、メモリカードスロット８１が設けられている。前面パネル部８の孔８２からは、プリンタ本体１の内部に配設されたプッシュラッチ装置３０のロッド３３の先端３３１が外側へ突出している。また、プリンタ本体１の内側には、前面パネル部８の近傍に磁石９が配設されている。
【００３６】
＜プッシュラッチ装置３０の構成＞
ここで、プッシュラッチ装置３０の構成について、図５及び図６を参照しながら説明する。
【００３７】
図５は、プッシュラッチ装置３０を分解して図示した斜め上方からの斜視図である。図６はプッシュラッチ装置３０を分解して図示した斜め下方からの斜視図である。  
プッシュラッチ装置３０は、スライダホルダ３１、スライダ３２、ロッド３３、カム溝３４、揺動アーム３５及び付勢バネ３６を備えている。
【００３８】
スライダホルダ３１には、スライダ３２を進退方向へスライド可能に支持する凹部３１１が形成されている。凹部３１１の左右の凸部は。スライダ３２の左右の側面と摺接するサイドガイド３１２、３１３になっている。サイドガイド３１２、３１３の近傍には、スライダ３２を係止するための係止爪３１４が３つ設けられている。スライダホルダ３１の凹部３１１には、後部寄りの中間から向かってやや右側の位置に、揺動アーム３５の揺動穴３５２と係合する揺動軸３１５が設けられている。
【００３９】
スライダ３２は、排出用トレイ３の裏面に当接して排出用トレイ３を開方向へ押し出すロッド３３が一体に設けられている。スライダ３２の下面に設けられたカム溝３４は、ロッド３３の押込み動作によってロッド３３の進出位置と退避位置とを切り替えて保持可能な平面視ハート形をした２位置保持ループ形状をなしている。カム溝３４の後方側には、スライダ３２の進退方向と平行に２本の角溝３２４、３２５が設けられている。この角溝３２４には、付勢バネ３６が収容される。
【００４０】
揺動アーム３５は、基部側が幾分幅広に形成され、端部が丸く加工された平板状の部材である。揺動アーム３５の自由端側の上面には、上方へ向けて突出する係合軸３５１が設けられている。揺動アーム３５の基端側には、係合軸３５１に対して外側に偏心した位置に揺動穴３５２が設けられている。揺動アーム３５は、係合軸３５１がスライダ３２のカム溝３４と係合し、揺動穴３５２がスライドホルダ３１の揺動軸３１５と係合し、この揺動軸３１５を揺動支点として揺動可能にスライダホルダ３１に支持される。
【００４１】
また、揺動アーム３５は、揺動穴３５２の近傍に、２つの係合爪３５３、３５４が一定の距離を隔てて並設されている。係合爪３５３、３５４は、スライダ３２の下面に形成されている２本の角溝３２４、３２５とそれぞれ係合する。係合爪３５３は、スライダ３２の角溝３２４に収容された付勢バネ３６の一端に当接する当接面となる。
【００４２】
付勢バネ３６は、圧縮コイルバネによって構成されており、スライダ３２を進出方向へ付勢する。付勢バネ３６は、軸線がスライダ３２の進退方向と平行であり、かつ軸線の位置がロッド３３の軸線位置と同一直線上となるように配設される。さらに、付勢バネ３６の軸線の位置は、揺動アーム３５の揺動穴３５２の中心から左右いずれかの方向にずれた位置に設定されている。このように、揺動穴３５２の中心からずれた位置に付勢バネ３６の軸線の位置を設定することによって、スライダ３２を進出方向へ付勢する付勢力に加えて、揺動アーム３５を向かって左側に揺動させようとする付勢力を単一の付勢バネ３６によって実現することができる。
【００４３】
カム溝３４の奥部側の交差した頂部は、ロッド３３の退避位置を保持する保持点３４１になっている。また、カム溝３４の手前側のくぼみ部は、ロッド３３の進出位置を保持する保持点３４２になっている。そして、この保持点３４１、３４２を挟んでカム溝３４の向かって右側の経路がロッド３３を退避方向へ押し込むときに通る押込み経路３４３となり、向かって左側の経路がロッド３３を進出方向へ押し出すときに通る押出し経路３４４となる。押出し経路３４４の底面は、保持点３４１に向かうに従って徐々に高くなるように形成されている。保持点３４１には、係合軸３５１が逆方向の押出し経路３４４側に進入しないようにするための段差３４５が設けられている。
【００４４】
このような形状のカム溝３４によって、揺動アーム３５の係合軸３５１は、保持点３４１を始点として押込み経路３４３、保持点３４２、押出し経路３４４の順でカム溝３４内を移動し、再び保持点３４１に戻るように一方向のみに循環移動することとなる。それによって、ロッド３３を押し込み位置まで押し込むことによりロッド３３の保持位置を進出位置と退避位置とで交互に切り替え可能なプッシュラッチ装置３０の基本的なラッチ機能が実現される。
【００４５】
＜本発明に係る「開閉蓋支持装置」の第１実施例＞
つづいて、本発明に係る「開閉蓋支持装置」の第１実施例について、図７及び図８を参照しながら説明する。
【００４６】
図７及び図８は、本発明に係る「開閉蓋支持装置」の第１実施例を模式的に図示した側断面図である。図７は、排出用トレイ３が閉じた状態を図示したものであり、図８は、排出用トレイ３が開くときの状態を図示したものである。  
「開閉蓋」としての排出用トレイ３は、「筐体」としてのプリンタ本体１に回動可能に支持されている。より具体的には、排出用トレイ３のトレイ本体２１は、プリンタ本体１に固設されている回動軸１２に回動可能に軸支されている。
【００４７】
プリンタ本体１には、前面パネル部８の近傍に磁石９が内設されている。そして、排出用トレイ３のトレイ本体２１には、閉じた状態でプリンタ本体１に内設された磁石９に対応する部分に、「磁性体」としての鉄片２２が内設されている。つまり、閉位置にある排出用トレイ３の回動位置は、プリンタ本体１の磁石９と排出用トレイ３の鉄片２２との間に作用する磁力で保持される。尚、プリンタ本体１側に鉄片２２を配設し、排出用トレイ３に磁石９を配設しても良い。或いは、プリンタ本体１及び排出用トレイ３の両方に磁石９を配設し、いずれか一方をＮ極とし他方をＳ極としても良い。
【００４８】
排出用トレイ３のトレイ本体２１の内部には、「変位手段」を構成する、鉄片支持部材２３、レバー２４及び回転体２５が配設されている。鉄片支持部材２３は、鉄片２２を支持する部材である。鉄片２２は、この鉄片支持部材２３に固着されている。レバー２４の一端側には、軸部２４１が設けられており、この軸部２４１に鉄片支持部材２３が軸支されている。また、レバー２４の他端側には、軸部２４２が設けられている。回転体２５は、回転軸２５１でトレイ本体２１に回転可能に軸支されている。回転体２５の回転軸２５１より偏心した部分には、レバー２４の他端側の軸部２４２が回動自在に連結されている。そして、回転体２５は、プリンタ本体１に固設されている回動軸１２と回転伝達可能に歯車係合している。
【００４９】
排出用トレイ３が閉じた状態では、プッシュラッチ装置３０のロッド３３は退避位置で保持されている。この状態では、磁石９と鉄片２２との間に作用する磁力により排出用トレイ３の回動位置が閉位置で保持された状態となる。そして、この閉じた状態の排出用トレイ３の前面上部を符号Ｄで示した方向へ押し込む操作を行うと、プッシュラッチ装置３０のロッド３３が符号Ｅで示した方向へ押し込み位置まで押し込まれる（図７）。
【００５０】
それによって、プッシュラッチ装置３０のロッド３３は、符号Ｆで示した方向（以下、「進出方向Ｆ」という。）へ進出し、その進出位置が保持される。排出用トレイ３は、進出方向Ｆへ進出するロッド３３の先端に押動され、符号Ａで示した方向（以下、「開方向Ａ」という。）へ回動していく。排出用トレイ３が開方向Ａへ回動していくと、回動軸１２と歯車係合している回転体２５は、符号Ｇで示した方向へ回転する。それによって、レバー２４が符号Ｈで示した方向へ変位し、鉄片支持部材２３に支持されている鉄片２２が符号Ｊで示した方向へ変位する（図８）。
【００５１】
このように、鉄片２２は、排出用トレイ３の開方向Ａへの回動に連動して、その支持位置がプリンタ本体１に配設された磁石９から離間する方向（符号Ｊで示した方向）へ変位する。すなわち、プリンタ本体１に配設された磁石９に対して、鉄片２２は、閉じた状態にある排出用トレイ３を開方向Ａへ回動させることによって、その開方向Ａへ離間していくと同時に、かつ「変位手段」により符号Ｊで示した方向へも離間していくことになる。それによって、閉じた状態の排出用トレイ３を開方向Ａへ開くときには、開方向Ａへの排出用トレイ３の回動による変位量を超える変位量で、鉄片２２をプリンタ本体１の磁石９から一気に離間させることができる。つまり、磁石９と鉄片２２との間に作用する磁力を弱くすることなく、その磁力で排出用トレイ３を係止可能な回動範囲を狭くすることができる。
【００５２】
それによって、進出位置にあるロッド３３の先端と排出用トレイ３とが当接する排出用トレイ３の回動位置においては、プリンタ本体１の磁石９と排出用トレイ３の鉄片２２との間に作用する磁力で開方向Ａへの回動が係止されない範囲に、排出用トレイ３の鉄片２２の支持位置を変位させることができる。したがって、閉じた状態の排出用トレイ３を開くときには、磁石９と鉄片２２との間に作用する磁力によって排出用トレイ３が半開き状態でロックされた状態となってしまうことを防止することができる。また、排出用トレイ３を閉じた状態においては、磁石９と鉄片２２との間に作用する磁力で、排出用トレイ３が閉じた状態を強固に保持することができる。
【００５３】
尚、排出用トレイ３に支持された鉄片２２の支持位置は、排出用トレイ３の開方向Ａへの回動量に比例した変位量で変位する。したがって、排出用トレイ３の回動量に対する鉄片２２の符号Ｊで示した方向への変位量は、回動軸１２と回転体２５との直径比等を調節することで、適切な変位量となるように調節することができる。また、当該実施例の「変位手段」は、インクジェットプリンタ５０を正面から観た場合に、鉄片２２が上下方向へ変位するように構成されているが、例えば、鉄片２２が左右方向へ変位するように構成しても良いし、鉄片２２が前後方向へ変位するように構成しても本発明による作用効果を得ることができるのは言うまでもない。
【００５４】
＜本発明に係る「開閉蓋支持装置」の第２実施例＞
つづいて、本発明に係る「開閉蓋支持装置」の第２実施例について、図９〜図１２を参照しながら説明する。
【００５５】
図９〜図１２は、本発明に係る「開閉蓋支持装置」の第２実施例を模式的に図示した側断面図である。図９は、排出用トレイ３が閉じた状態を図示したものであり、図１０〜図１２は、排出用トレイ３が開くときの状態を段階的に図示したものである。  
第２実施例の排出用トレイ３は、第１実施例に加えて、排出用トレイ３の開方向Ａへの回動に連動した変位方向（符号Ｊで示した方向）と対向する方向へ鉄片２２を付勢する「付勢手段」が設けられている。この「付勢手段」は、上板２６、下板２７及びコイルばね２８で構成される。上板２６は、鉄片支持部材２３に一体に設けられている。下板２７は、図示の位置において排出用トレイ３のトレイ本体２１に固設されている。コイルばね２８は、上板２６と下板２７との間に縮設されている。尚、それ以外の構成は、第１実施例と同様であるため、同様の部分についての説明は省略する。
【００５６】
縮設されたコイルばね２８のばね力によって、レバー２４は、図９に図示した位置に付勢された状態となるため、回転体２５の回転位置も図９に図示した位置に付勢された状態となる。したがって、排出用トレイ３を開方向Ａへ回動させることによって、回動軸１２に歯車係合している回転体２５が符号Ｇで示した方向へ回転したときに、回転体２５には元の回転位置（図９に図示した回転位置）に戻ろうとする力が作用することになる。すなわち、排出用トレイ３は、縮設されたコイルばね２８のばね力によって、閉じた状態となる回動位置（図９）へ付勢されることになる。
【００５７】
それによって、閉じた状態の排出用トレイ３を開方向Ａへ開くときには、排出用トレイ３に回動抵抗が生ずるため、進出方向Ｆへ進出するロッド３３が排出用トレイ３を押動する力や排出用トレイ３の自重等で勢いよく開いてしまうことを防止することができる。また、開く途中でユーザが排出用トレイ３から手を放しても、排出用トレイ３は、自重で勢いよく開かずに、ゆっくりとなめらかに開くことになるので、ユーザが排出用トレイ３を開くときの操作感を向上させることができる。さらに、排出用トレイ３を閉じるときには、ユーザは、より少ない力で排出用トレイ３を閉じることができる。したがって、ユーザが排出用トレイ３を閉じるときの操作感も向上させることができる。
【００５８】
さらに、縮設されたコイルばね２８は、排出用トレイ３が開方向Ａへ回動していくに従って圧縮されていく（図１０〜図１２）。そのため、レバー２４を介して回転体２５に作用するコイルばね２８のばね力は、排出用トレイ３が開方向Ａへ回動していくに従って強くなっていく。したがって、排出用トレイ３に作用する回動抵抗は、排出用トレイ３が開方向Ａへ回動していくに従って強くなっていくことになる。
【００５９】
すなわち、排出用トレイ３が開方向Ａへ回動するときには、排出用トレイ３が開方向Ａへ回動していくに従って、その排出用トレイ３に作用する重力に対向するように作用する回動抵抗が増加していくことになる。したがって、コイルばね２８のばね力を適切に調節すれば、あたかもオイルダンパ機構等を設けた如く、排出用トレイ３がゆっくりと略一定の回動速度で開方向Ａへ自重で回動するようにすることも可能になる。それによって、ユーザが排出用トレイ３を開くときの操作感をさらに向上させることができる。
【００６０】
＜本発明に係る「開閉蓋支持装置」の第３実施例＞
つづいて、本発明に係る「開閉蓋支持装置」の第３実施例について、図１３及び図１４を参照しながら説明する。
【００６１】
図１３及び図１４は、本発明に係る「開閉蓋支持装置」の第３実施例を模式的に図示した側断面図である。図１３は、排出用トレイ３が閉じた状態を図示したものであり、図１４は、排出用トレイ３が開くときの状態を図示したものである。  
第３実施例は、第１実施例に加えて、排出用トレイ３のトレイ本体２１に開口部２９が設けられている。排出用トレイ３が閉位置にある状態では、鉄片２２のプリンタ本体１に配設された磁石９と対面する部分が、図示の如く開口部２９を介して排出用トレイ３の外部に進出した状態となる（図１３）。また、鉄片２２は、鉄片支持部材２３に対して固着されておらず、図示していないばねやゴム材等の弾性部材を介して鉄片支持部材２３に支持されている。そして、鉄片２２は、排出用トレイ３が開方向Ａへ回動していくに従って、トレイ本体２１内に退避するように、符号Ｊで示した方向へ変位していく（図１４）。尚、それ以外の構成は、第１実施例と同様であるため、同様の部分についての説明は省略する。
【００６２】
排出用トレイ３を閉じた状態では、開口部２９を介して外部に進出した鉄片２２がプリンタ本体１の磁石９が内設されている部分に当接する（図１３）。したがって、排出用トレイ３を閉じた状態においては、第１実施例及び第２実施例と比較して、排出用トレイ３の鉄片２２をプリンタ本体１の磁石９により近接させた状態とすることができる。それによって、閉位置における排出用トレイ３の回動位置は、より磁力の弱い小さな磁石９でも確実に保持することが可能になるので、本発明に係る「開閉蓋支持装置」をより低コストに実現することができる。
【００６３】
また、排出用トレイ３を開方向Ａへ回動させていくと、鉄片２２がトレイ本体２１内に退避するように変位していく（図１４）。したがって、排出用トレイ３を開いた状態においては、インクジェットプリンタ５０の外観が損なわれることを防止することができるとともに、鉄片２２が排出用トレイ３に排出される記録紙Ｐの排出の妨げとなることも防止することができる。
【００６４】
さらに、鉄片２２は、ばね等の弾性部材（図示せず）を介して鉄片支持部材２３に支持されているので、プリンタ本体１の磁石９が内設されている部分に確実に当接させることができる。それによって、プリンタ本体１と鉄片２２との当接面のクリアランス管理が容易になるというメリットがある。
【００６５】
以上説明したように、本発明によれば、磁石９の磁力で排出用トレイ３等の「開閉蓋」の閉じた状態を保持する「開閉蓋支持装置」において、排出用トレイ３等が半開き状態でロックされた状態となることを防止することができる。
【００６６】
尚、本発明は上記実施例に限定されることなく、特許請求の範囲に記載した発明の範囲内で、種々の変形が可能であり、それらも本発明の範囲内に含まれるものであることは言うまでもない。
【図面の簡単な説明】
【００６７】
【図１】インクジェットプリンタの外観斜視図。
【図２】インクジェットプリンタの要部側断面図。
【図３】排出用トレイを開いたプリンタの前面を拡大図示した斜視図。
【図４】インクジェットプリンタの前面の要部を図示した平面視の断面図。
【図５】プッシュラッチ装置を分解して図示した斜め上方からの斜視図。
【図６】プッシュラッチ装置を分解して図示した斜め下方からの斜視図。
【図７】排出用トレイが閉じた状態を図示した第１実施例の側断面図。
【図８】排出用トレイが開く状態を図示した第１実施例の側断面図。
【図９】排出用トレイが閉じた状態を図示した第２実施例の側断面図。
【図１０】排出用トレイが開く状態を図示した第２実施例の側断面図。
【図１１】排出用トレイが開く状態を図示した第２実施例の側断面図。
【図１２】排出用トレイが開いた状態を図示した第２実施例の側断面図。
【図１３】排出用トレイが閉じた状態を図示した第３実施例の側断面図。
【図１４】排出用トレイが開く状態を図示した第３実施例の側断面図。
【符号の説明】
【００６８】
１  プリンタ本体、３  排出用トレイ、９  磁石、１２  回動軸、２１  トレイ本体、２２  鉄片、２３  鉄片支持部材、２４  レバー、２５  回転体、２６  上板、２７  下板、２８  コイルばね、２９  開口部、３０  プッシュラッチ装置、３３  ロッド、５０  インクジェットプリンタ、５１  搬送駆動ローラ、５２  搬送従動ローラ、５３  プラテン、５４  排出駆動ローラ、５５  排出従動ローラ、６１  キャリッジ、６２  記録ヘッド、Ｐ  記録紙、Ｙ  記録紙の搬送方向
【図１】
2009097198.tif 000003
【図２】
2009097198.tif 000004
【図３】
2009097198.tif 000005
【図４】
2009097198.tif 000006
【図５】
2009097198.tif 000007
【図６】
2009097198.tif 000008
【図７】
2009097198.tif 000009
【図８】
2009097198.tif 000010
【図９】
2009097198.tif 000011
【図１０】
2009097198.tif 000012
【図１１】
2009097198.tif 000013
【図１２】
2009097198.tif 000014
【図１３】
2009097198.tif 000015
【図１４】
2009097198.tif 000016